(57)【要約】【課題】  楽曲データベースを備える端末装置において、簡単かつ安価に、その楽曲データベースの内容を更新していくことができるようにした更新システムである。【解決手段】  （ｉ）識別情報とこれに対応する楽曲情報とからなる各楽曲データベース情報を格納する送信用楽曲データベース２１と、該データベース２１からの楽曲データベース情報を放送波に多重して放送する放送手段２３と、を含む送信装置２０と、（ii）放送手段２３からの放送波を受信する受信手段３３と、受信した放送波から楽曲データベース情報を抽出する抽出手段３４と、抽出した楽曲データベース情報を受信側楽曲データベースに蓄積する更新手段３２と、を含む端末装置３０と、から構成する。【選択図】      図１
2006345008.tif 000002
【特許請求の範囲】
【請求項１】
記録媒体を識別する識別情報と該識別情報に対応する楽曲情報とからなる各楽曲データベース情報を格納する送信用楽曲データベースと、
該送信用楽曲データベースからの前記楽曲データベース情報を放送波に多重して放送する放送手段と、を含む送信装置と、
前記放送手段から放送される前記楽曲データベース情報が多重された放送波を受信する受信手段と、前記受信手段で受信した放送波から前記楽曲データベース情報を抽出する抽出手段と、前記抽出手段で抽出した前記楽曲データベース情報を受信側楽曲データベースに蓄積する更新手段と、を含む端末装置と、
を備えることを特徴とする楽曲データベースの更新システム。
【請求項２】
前記送信装置は、
前記送信用楽曲データベースに連携し、これに格納すべき前記楽曲データベース情報を選択かつ収集する選択／収集手段を有することを特徴とする請求項１記載の楽曲データベースの更新システム。
【請求項３】
前記選択／収集手段は、各楽曲提供事業者による各種人気ランキング情報に基づいて、前記楽曲データベース情報を選択することを特徴とする請求項２記載の楽曲データベースの更新システム。
【請求項４】
前記選択／収集手段は、各楽曲提供事業者での放送回数あるいは新譜リリース情報に基づいて、前記楽曲データベース情報を選択することを特徴とする請求項２記載の楽曲データベースの更新システム。
【請求項５】
前記選択／収集手段は、これに連携する各楽曲提供事業者間で生成されるパワープレイ情報、または新譜リリース情報に基づいて、前記楽曲データベース情報を選択することを特徴とする請求項３記載の楽曲データベースの更新システム。
【請求項６】
前記送信装置は、新譜の楽曲を常時編集かつ登録して総楽曲データベースを構築するデータベース源を備え、前記選択／収集手段は、該データベース源から楽曲データベース情報を収集することを特徴とする請求項２〜５のいずれか一項記載の楽曲データベースの更新システム。
【請求項７】
前記放送手段は、前記送信用楽曲データベースの全ての前記楽曲データベース情報か、または前記送信用楽曲データベースのうち最新に追加された差分楽曲データベース情報か、のいずれかを前記放送波に多重して送信することを特徴とする請求項１〜６のいずれか一項記載の楽曲データベースの更新システム。
【請求項８】
前記放送手段は、前記楽曲データベース情報を、常時繰り返して、または所定の日時に周期的に、前記放送波に多重して送信することを特徴とする請求項１〜６のいずれか一項記載の楽曲データベースの更新システム。
【請求項９】
前記放送手段は、送信すべき前記楽曲情報データベース情報を前記放送波多重用のフォーマットに変換する変換機能部を有することを特徴とする請求項１〜８のいずれか一項記載の楽曲データベースの更新システム。
【請求項１０】
前記受信手段は、
前記送信装置側でカギがかけられた放送波を受信し、前記端末装置が保持するカギで前記放送波のカギを解き、カギを解いた放送波を前記抽出手段に出力することを特徴とする請求項１〜９のいずれか一項記載の楽曲データベースの更新システム。
【請求項１１】
前記受信手段は、前記送信装置側で前記楽曲データベース情報にカギがかけられた放送波を受信し、
前記抽出手段は、前記端末装置が保持するカギで前記楽曲データベース情報のカギを解いて前記楽曲データベース情報を抽出することを特徴とする請求項１〜９のいずれか一項記載の楽曲データベースの更新システム。
【請求項１２】
前記抽出手段は、所定のフォーマットで前記放送波に多重された前記楽曲データベース情報を、そのフォーマットに従って抜き出すことを特徴とする請求項１〜１１のいずれか一項記載の楽曲データベースの更新システム。
【請求項１３】
前記更新手段は、前記送信装置側の送信用楽曲データベースからその全ての楽曲データベース情報を受信したとき、前記受信側楽曲データベースをその受信した全ての楽曲情報データベース情報にて書き換えることを特徴とする請求項１〜１２のいずれか一項記載の楽曲データベースの更新システム。
【請求項１４】
前記更新手段は、前記送信装置側の送信用楽曲データベースからその全ての楽曲データベース情報を受信したとき、その中から未収録の楽曲データベース情報を割り出してこれを最新に追加された差分楽曲データベース情報として前記受信側楽曲データベースに蓄積することを特徴とする請求項１〜１２のいずれか一項記載の楽曲データベースの更新システム。
【請求項１５】
前記更新手段は、前記送信装置側の送信用楽曲データベースから最新に追加された差分楽曲データベース情報を受信したとき、前記受信側楽曲データベースにその追加された差分楽曲データベース情報を追加して蓄積することを特徴とする請求項１〜１２のいずれか一項記載の楽曲データベースの更新システム。
【請求項１６】
前記更新手段は、前記送信装置側から常時繰り返して、または所定の日時に周期的に送信される楽曲データベース情報または前記差分楽曲データベース情報を一旦保持し、これらの情報が既に受信済みの情報と同一でないことを検出したとき、前記受信側楽曲データベースに蓄積することを特徴とする請求項１３〜１５のいずれか一項記載の楽曲データベースの更新システム。
【請求項１７】
前記受信側楽曲データベースは、再生される記録媒体の識別情報をもとに対応する楽曲情報を検索可能であることを特徴とする請求項１〜１６のいずれか一項記載の楽曲データベースの更新システム。
【請求項１８】
記録媒体を識別する識別情報と該識別情報に対応する楽曲情報とからなる各楽曲データベース情報を格納する送信用楽曲データベースと、該送信用楽曲データベースからの前記楽曲データベース情報を放送波に多重して放送する放送手段と、を含むことを特徴とする、楽曲データベースの送信装置。
【請求項１９】
前記送信用楽曲データベースに連携しこれに格納すべき前記楽曲データベース情報を選択かつ収集する選択／収集手段を有することを特徴とする請求項１８記載の楽曲データベースの送信装置。
【請求項２０】
前記選択／収集手段は、各楽曲提供事業者による各種人気ランキング情報に基づいて、前記楽曲データベース情報を選択することを特徴とする請求項１９記載の楽曲データベースの送信装置。
【請求項２１】
前記選択／収集手段は、各楽曲提供事業者での放送回数あるいは新譜リリース情報に基づいて、前記楽曲データベース情報を選択することを特徴とする請求項１９記載の楽曲データベースの送信装置。
【請求項２２】
前記選択／収集手段は、これに連携する各楽曲提供事業者間で生成されるパワープレイ情報、または新譜リリース情報に基づいて、前記楽曲データベース情報を選択することを特徴とする請求項１９記載の楽曲データベースの送信装置。
【請求項２３】
新譜の楽曲を常時編集かつ登録して総楽曲データベースを構築するデータベース源を備え、前記選択／収集手段は、該データベース源から楽曲データベース情報を収集することを特徴とする請求項１９〜２２のいずれか一項記載の楽曲データベースの送信装置。
【請求項２４】
前記放送手段は、前記送信用楽曲データベースの全ての前記楽曲データベース情報か、または前記送信用楽曲データベースのうち最新に追加された差分楽曲データベース情報か、のいずれかを前記放送波に多重して送信することを特徴とする請求項１８〜２３のいずれか一項記載の楽曲データベースの送信装置。
【請求項２５】
前記放送手段は、前記楽曲データベース情報を、常時繰り返して、または所定の日時に周期的に、前記放送波に多重して送信することを特徴とする請求項１８〜２４のいずれか一項記載の楽曲データベースの送信装置。
【請求項２６】
前記放送手段は、送信すべき前記楽曲情報データベース情報を前記放送波多重用のフォーマットに変換する変換機能部を有することを特徴とする請求項１８〜２５のいずれか一項記載の楽曲データベースの送信装置。
【請求項２７】
再生すべき記録媒体に記録されている識別情報をもとに対応する楽曲情報を検索可能な受信側楽曲データベースと、
楽曲データベース情報が多重された放送波を受信する受信手段と、
前記受信した放送波から楽曲データベース情報を抽出する抽出手段と、
前記抽出された楽曲データベース情報を前記受信側楽曲データベースに蓄積する更新手段と、を含んでなることを特徴とする、楽曲データベースの更新機能を有する端末装置。
【請求項２８】
前記受信手段は、前記放送側でカギがかけられた放送波を受信し、自身が保持するカギで該放送波のカギを解き、カギを解いた放送波を前記抽出手段に出力することを特徴とする請求項２７記載の楽曲データベースの更新機能を有する端末装置。
【請求項２９】
前記受信手段は、前記放送側で前記楽曲データベース情報にカギがかけられた放送波を受信し、
前記抽出手段は、自身が保持するカギで前記楽曲データベース情報のカギを解いて前記楽曲データベース情報を抽出することを特徴とする請求項２７又は２８記載の楽曲データベースの更新機能を有する端末装置。
【請求項３０】
前記抽出手段は、所定のフォーマットで前記放送波に多重された前記楽曲データベース情報を、そのフォーマットに従って抜き出すことを特徴とする請求項２７〜２９のいずれか一項記載の楽曲データベースの更新機能を有する端末装置。
【請求項３１】
前記更新手段は、受信した楽曲情報データベース情報にて受信側楽曲データベースを書き換えるか又は受信側楽曲データベースに蓄積することを特徴とする請求項２７〜３０のいずれか一項記載の楽曲データベースの更新機能を有する端末装置。
【請求項３２】
前記更新手段は、受信した楽曲データベース情報の中から未収録の楽曲データベース情報を割り出してこれを最新に追加された差分楽曲データベース情報として前記受信側楽曲データベースに蓄積することを特徴とする請求２７〜３０のいずれか一項記載の楽曲データベースの更新機能を有する端末装置。
【請求項３３】
前記更新手段は、前記放送側から常時繰り返して、または所定の日時に周期的に送信される楽曲データベース情報または前記差分楽曲データベース情報を一旦保持し、これらの情報が既に受信済みの情報と同一でないことを検出したとき、前記受信側楽曲データベースに蓄積することを特徴とする請求項３１又は３２記載の楽曲データベースの更新機能を有する端末装置。
【請求項３４】
送信装置と端末装置とを備える楽曲データベース更新システムにおける楽曲データベースの更新方法であって、
前記送信装置において、
送信用楽曲データベースに格納されている記録媒体を識別する識別情報と該識別情報に対応する楽曲情報とからなる楽曲データベース情報を放送波に多重して放送するステップとを有し、
前記端末装置において、
前記送信装置からの前記楽曲データベース情報を受信するステップと、
受信した前記楽曲データベース情報を受信側楽曲データベースに蓄積するステップと、
を有することを特徴とする楽曲データベースの更新方法。
【請求項３５】
前記送信装置は、
前記送信用楽曲データベースに連携し、これに格納すべき前記楽曲データベース情報を選択かつ収集する選択収集ステップを有することを特徴とする請求項３４記載の楽曲データベースの更新方法。
【請求項３６】
前記選択収集ステップは、各楽曲提供事業者による各種人気ランキング情報に基づいて、前記楽曲データベース情報を選択することを特徴とする請求項３５記載の楽曲データベースの更新方法。
【請求項３７】
前記選択収集ステップは、各楽曲提供事業者での放送回数あるいは新譜リリース情報に基づいて、前記楽曲データベース情報を選択することを特徴とする請求項３５記載の楽曲データベースの更新方法。
【請求項３８】
前記選択収集ステップは、これに連携する各楽曲提供事業者間で生成されるパワープレイ情報、または新譜リリース情報に基づいて、前記楽曲データベース情報を選択することを特徴とする請求項３５記載の楽曲データベースの更新方法。
【請求項３９】
前記選択収集ステップは、新譜の楽曲を常時編集かつ登録して総楽曲データベースを構築するデータベース源と連携して行うことを特徴とする請求項３５〜３８のいずれか一項記載の楽曲データベースの更新方法。
【請求項４０】
前記放送ステップは、前記送信用楽曲データベースの全ての前記楽曲データベース情報か、または前記送信用楽曲データベースのうち最新に追加された差分楽曲データベース情報か、のいずれかを前記放送波に多重して送信することを特徴とする請求項３４〜３９のいずれか一項記載の楽曲データベースの更新方法。
【請求項４１】
前記放送ステップは、前記楽曲データベース情報を、常時繰り返して、または所定の日時に周期的に、前記放送波に多重して送信することを特徴とする請求項３４〜３９のいずれか一項記載の楽曲データベースの更新方法。
【請求項４２】
前記放送ステップは、送信すべき前記楽曲情報データベース情報を前記放送波多重用のフォーマットに変換する変換機能部を有することを特徴とする請求項３４〜４１のいずれか一項記載の楽曲データベースの更新方法。
【請求項４３】
前記受信ステップは、
前記送信装置側でカギがかけられた放送波を受信し、該端末装置が保持するカギで前記放送波のカギを解くことを特徴とする請求項３４〜４２のいずれか一項記載の楽曲データベースの更新方法。
【請求項４４】
前記受信ステップは、前記送信装置側で前記楽曲データベース情報にカギがかけられた放送波を受信し、前記端末装置が保持するカギで前記楽曲データベース情報のカギを解くことを特徴とする請求項３４〜４２のいずれか一項記載の楽曲データベースの更新方法。
【請求項４５】
前記受信ステップは、所定のフォーマットで前記放送波に多重された前記楽曲データベース情報を、そのフォーマットに従って抜き出すことを特徴とする請求項３４〜４４のいずれか一項記載の楽曲データベースの更新方法。
【請求項４６】
前記蓄積ステップは、前記送信装置側の送信用楽曲データベースからその全ての楽曲データベース情報を受信したとき、前記受信側楽曲データベースをその受信した全ての楽曲情報データベース情報にて書き換えることを特徴とする請求項３４〜４５のいずれか一項記載の楽曲データベースの更新方法。
【請求項４７】
前記更新ステップは、前記送信装置側の送信用楽曲データベースからその全ての楽曲データベース情報を受信したとき、その中から未収録の楽曲データベース情報を割り出してこれを最新に追加された差分楽曲データベース情報として前記受信側楽曲データベースに蓄積することを特徴とする請求項３４〜４６のいずれか一項記載の楽曲データベースの更新システム。
【請求項４８】
前記更新ステップは、前記送信装置側の送信用楽曲データベースから最新に追加された差分楽曲データベース情報を受信したとき、前記受信側楽曲データベースにその追加された差分楽曲データベース情報を追加して蓄積することを特徴とする請求項３４〜４７のいずれか一項記載の楽曲データベースの更新方法。
【請求項４９】
前記更新ステップは、前記送信装置側から常時繰り返して、または所定の日時に周期的に送信される楽曲データベース情報または前記差分楽曲データベース情報を一旦保持し、これらの情報が既に受信済みの情報と同一でないことを検出したとき、前記受信側楽曲データベースに蓄積することを特徴とする請求項４６〜４８のいずれか一項記載の楽曲データベースの更新方法。
【請求項５０】
前記受信側楽曲データベースは、再生される記録媒体の識別情報をもとに対応する楽曲情報を検索可能であることを特徴とする請求項３４〜４９のいずれか一項記載の楽曲データベースの更新方法。
【請求項５１】
楽曲データベース情報を送信する送信装置の楽曲データベースの送信方法であって、
送信用楽曲データベースに格納されている記録媒体を識別する識別情報と該識別情報に対応する楽曲情報とからなる楽曲データベース情報を放送波に多重して送信するステップと、を有することを特徴とする楽曲データベースの送信方法。
【請求項５２】
前記送信用楽曲データベースに連携しこれに格納すべき前記楽曲データベース情報を選択かつ収集する選択収集ステップを有することを特徴とする請求項５１記載の楽曲データベースの送信方法。
【請求項５３】
前記選択収集ステップは、各楽曲提供事業者による各種人気ランキング情報に基づいて行うことを特徴とする請求項５２記載の楽曲データベースの送信方法。
【請求項５４】
前記選択収集ステップは、各楽曲提供事業者での放送回数あるいは新譜リリース情報に基づいて行うことを特徴とする請求項５２記載の楽曲データベースの送信方法。
【請求項５５】
前記選択収集ステップは、各楽曲提供事業者間で生成されるパワープレイ情報、または新譜リリース情報に基づいて行うことを特徴とする請求項５２記載の楽曲データベースの送信方法。
【請求項５６】
前記選択収集ステップは、新譜の楽曲を常時編集かつ登録して総楽曲データベースを構築するデータベース源と連携して行うことを特徴とする請求項５２〜５５のいずれか一項記載の楽曲データベースの送信方法。
【請求項５７】
前記送信ステップは、前記送信用楽曲データベースの全ての前記楽曲データベース情報か、または前記送信用楽曲データベースのうち最新に追加された差分楽曲データベース情報か、のいずれかを前記放送波に多重して送信することを特徴とする請求項５１〜５６のいずれか一項記載の楽曲データベースの送信方法。
【請求項５８】
前記送信ステップは、前記楽曲データベース情報を、常時繰り返して、または所定の日時に周期的に、前記放送波に多重して送信することを特徴とする請求項５１〜５７のいずれか一項記載の楽曲データベースの送信方法。
【請求項５９】
前記送信ステップは、送信すべき前記楽曲情報データベース情報を前記放送波多重用のフォーマットに変換して送信することを特徴とする請求項５１〜５８のいずれか一項記載の楽曲データベースの送信方法。
【請求項６０】
再生すべき記録媒体に記録されている識別情報をもとに対応する楽曲情報を検索可能な受信側楽曲データベースを有する端末装置の楽曲データベース更新方法であって、
前記楽曲データベース情報を多重して放送される放送波を受信するステップと、
受信した放送波から前記楽曲データベース情報を抽出するステップと、
前記抽出された楽曲データベース情報を受信側楽曲データベースに蓄積して更新するステップと、
を有することを特徴とする、端末装置の楽曲データベース更新方法。
【請求項６１】
前記受信ステップは、前記放送側でカギがかけられた放送波を受信し自身が保持するカギで該放送波のカギを解き放送波から前記楽曲データベース情報を抽出することを特徴とする請求項６０記載の端末装置の楽曲データベース更新方法。
【請求項６２】
前記受信ステップは、前記放送側で前記楽曲データベース情報にカギがかけられた放送波を受信し、自身が保持するカギで前記楽曲データベース情報のカギを解いて前記楽曲データベース情報を抽出することを特徴とする請求項６０記載の端末装置の楽曲データベース更新方法。
【請求項６３】
前記抽出ステップは、所定のフォーマットで前記放送波に多重された前記楽曲データベース情報を、そのフォーマットに従って抜き出すことを特徴とする請求項６０〜６２のいずれか一項記載の端末装置の楽曲データベース更新方法。
【請求項６４】
前記更新ステップは、受信した楽曲情報データベース情報にて前記受信側楽曲データベースを書き換えるか又は受信側楽曲データベースに蓄積することを特徴とする請求項６０〜６３のいずれか一項記載の端末装置の楽曲データベース更新方法。
【請求項６５】
前記更新ステップは、受信した楽曲データベース情報の中から未収録の楽曲データベース情報を割り出してこれを最新に追加された差分楽曲データベース情報として前記受信側楽曲データベースに蓄積することを特徴とする請求項６０〜６３のいずれか一項記載の端末装置の楽曲データベース更新方法。
【請求項６６】
前記更新ステップは、前記放送側から常時繰り返して、または所定の日時に周期的に送信される楽曲データベース情報または前記差分楽曲データベース情報を一旦保持し、これらの情報が既に受信済みの情報と同一でないことを検出したとき、前記受信側楽曲データベースに蓄積することを特徴とする請求項６４又は６５記載の端末装置の楽曲データベース更新方法。
【発明の詳細な説明】
【技術分野】
【０００１】
本発明は、楽曲データベースの更新システム、楽曲データベースの送信装置、楽曲データベース更新機能を有する端末装置、並びに楽曲データベースの更新方法、楽曲データベースの送信方法、端末装置の楽曲データベース更新方法に関する。
【背景技術】
【０００２】
端末装置、特に車載用端末装置の発展は目覚しく、ネットワークコミュニケーションの高度化と共に、益々高機能化している。例えば、ナビゲーション、ＣＤ、ＭＤ、ＤＶＤ、ＭＰ３等のミュージックファイル等のオーディオ・ビジュアル機能、ＴＶ、ＦＭ・ＡＭ／ＦＭ多重／ＦＭ−ＶＩＣＳ等の放送受信機能、ＤＳＰ、イコライザ等の音場・音質調整機能等、オーディオとビジュアルそしてナビゲーションが一体になった高機能な車載用端末装置が既に市販されている。
【０００３】
本発明は例えば上記のような端末装置を対象とするものであり、この中でとりわけ上記の各種オプション機能のうちの「オーディオ・ビジュアル機能」に着目するものである。
【０００４】
このオーディオ・ビジュアル機能は、上記端末装置に内蔵の記録装置（例えばＨＤＤ（ハードディスク装置））と連携して実現されるものであり、この記録装置には、「楽曲データベース」が予め収録されている。
【０００５】
図１１は本発明で対象とする楽曲データベースを説明するための図である。
【０００６】
本図においては、端末装置３０における、記録媒体１（例えば、ＣＤ）と、表示部２と、記録装置３（例えば、ＨＤＤ）のみを取り出し模式的に描いている。
【０００７】
この記録装置３内には、例えば約２３万曲分の楽曲データベースが収録されている。この楽曲データベースには、記録媒体の識別情報（例えば、ＴＯＣ）と、この識別情報に対応する楽曲情報例えば、アルバム名、トラック名、アーティスト名、ジャンルといった楽曲情報とが含まれる。そして、本装置３０はこの楽曲データベースを用いて、いわゆるオートタイトリング機能を実現している。
【０００８】
すなわち本装置３０では、音楽用記録媒体（例えば、ＣＤ）の音楽データを記録装置３に録音する際に、上記楽曲データベースの情報も自動的に記録される。このために面倒なタイトル入力の手間を要することなく、該記録装置３内に音楽ライブラリのコンテンツを作成できる、という利便性を本装置３０のユーザに提供することができる。
【０００９】
本図中の［１］、［２］および［３］は、上述したオートタイトリング機能のプロセスの一例を３段階で表したものであり、
［１］において、ユーザが録音したい記録媒体１を本装置３０の挿入部（図示せず）に挿入すると、
［２］では、その記録媒体１内に記録されている識別情報、例えば、ＴＯＣ（Table Of Contents）情報をもとに、記録装置３内の上記楽曲データベースから、楽曲情報を検索する。なお、このＴＯＣ情報には、通常、総演奏時間や収録楽曲の数やその収録位置が含まれる。
【００１０】
［３］では、上記検索によりその識別情報に一致した楽曲情報があれば、そこからタイトル名を抽出して、上記［１］にて記録媒体１から録音された音楽データにそのタイトル名を付加する。ここに上記のオートタイトリングプロセスが完了する。
【００１１】
このように上記端末装置３０は、タイトル入力の手間いらず、といったサービスを提供できる。しかし、不都合な点もある。これは上記楽曲データベースは当該端末装置３０を車両に搭載した後にはバージョンアップすなわち更新ができない、という点である。つまり、その後に発売された新譜の記録媒体については上記のタイトル入力ができない。あるいはその後に人気が出てきたリバイバルの記録媒体についても上記のタイトル入力はできない。
【００１２】
したがって、当該端末装置のユーザにとっては、その後の楽曲データベースに関する追加等の更新が、簡単かつ手軽に、しかも安価に行えることができれば非常に都合がよい。
【００１３】
これに応えることのできる従来手法について以下に述べる。
【００１４】
図１２は楽曲データベースの従来の更新方法（第１例）を示す図である。
【００１５】
この従来の第１例による更新方法によると、
［１］端末装置３０のユーザは、パソコン６から、インターネット上の楽曲データベース更新用サイト５へアクセスする。
【００１６】
［２］上記サイト５において、該ユーザが未だ入手していないタイトルデータベース、すなわち入手済みのタイトルデータベースに対する差分を抽出し、その差分タイトルデータベースを、パソコン６にダウンロードする。
【００１７】
［３］パソコン６にダウンロードした差分タイトルデータベースを、一旦、キャリングメディア７に移し替える。さらにユーザはそのキャリングメディア７を端末装置３０まで持って行き、ここで、その差分タイトルデータベースを記録装置３にインストールする。このキャリングメディア７は、例えばメモリスティック（登録商標）である。
【００１８】
ここに新譜等の新たな記録媒体内の音楽データのタイトル等が記録装置３において更新収録される。
【００１９】
また、従来の第２例による更新手法によれば、ユーザは通信手段によって、楽曲データベースを保有するセンターに直接接続して、差分タイトルデータベースを入手する。この通信手段は、例えば端末装置３０に直接連携する携帯電話である。
【００２０】
なお本発明に関連する公知技術としては、下記の特許文献１および２がある。しかしいずれの公知技術も、後述する説明から明らかになるとおり、「記録媒体を識別する識別情報と該識別情報に対応する楽曲情報とからなる各楽曲データベース情報を格納する送信用楽曲データベースと、該送信用楽曲データベースからの前記楽曲データベース情報を放送波に多重して放送する放送手段と、を含む送信装置と、
前記放送手段から放送される前記楽曲データベース情報が多重された放送波を受信する受信手段と、前記受信手段で受信した放送波から前記楽曲データベース情報を抽出する抽出手段と、前記抽出手段で抽出した前記楽曲データベース情報を受信側楽曲データベースに蓄積する更新手段と、を含む端末装置と、」からなる本発明の楽曲データベース更新システムとは異なる。
【００２１】
ちなみに、特許文献１に係るシステムにおいては、ＦＭ多重放送を受信するチューナーにて、ＦＭ信号から音楽配信に関する情報を復調し、そのデータを通信機能付きＨＤＤレコーダに送信する。この通信機能付きＨＤＤレコーダは、そのデータに基づいてネットワーク接続ソフトウェアを起動してそのデータに含まれる音楽データ配信元ダウンロードサーバのＵＲＬに対して接続する。これにより、音楽データのダウンロードを受ける。
【００２２】
また、特許文献２の装置は、複数の娯楽施設や特定エリア等で開催される天気予報等の日替わり情報を、文字情報として、情報センターから送信される放送を受信するようにした車載用情報端末装置である。
【００２３】
【特許文献１】特開２００１−２９８４３０号公報
【特許文献２】特開平１１−３０５２４号公報
【発明の開示】
【発明が解決しようとする課題】
【００２４】
上記従来の第１例による更新手法（図１２）によると、前述した「簡単かつ手軽に」といったユーザからの要請を満足できない、という問題がある。
【００２５】
また従来の第２例による更新手法（直接通信）によると、前述した「手軽にしかも安価に」といったユーザからの要請を満足できない、という問題がある。
【００２６】
なぜなら、上記の従来の第１例による更新手法によると、
・パソコン６およびインターネット環境と、メモリスティック（登録商標）等のキャリングメディア７が必要であり、
・ユーザ自らデータを、楽曲データベース更新用サイト５からダウンロードする必要があり、
・また、上記キャリングメディア７を使って端末装置３０をバージョンアップする手間が必要となる、
からである。
【００２７】
上記の従来の第２例による更新手法によると、
端末装置３０を搭載する車両の中から、携帯電話を使って、楽曲データベースを保有するセンターに接続する手間が必要であり、
またセンターからデータをダウンロードするための通信料が必要となる、
からである。
【００２８】
したがって本発明は、上記問題点に鑑み、楽曲データベースを保有する端末装置において、新譜の記録媒体（例えば、ＣＤ）のリリースなどに起因してその楽曲データベースを更新する必要があるとき、その更新を簡単かつ手軽にしかも安価に行うことのできる楽曲データベースの更新システムを提供することを目的とするものである。
【課題を解決するための手段】
【００２９】
図１は本発明に係る楽曲データベースの更新システムを示す基本構成図である。
【００３０】
本図において、参照番号１０が楽曲データベースの更新システムであり、大別して、送信装置２０と端末装置３０（図１１および１２）からなる。
【００３１】
送信装置２０は、記録媒体を識別する識別情報とこの識別情報に対応する楽曲情報とからなる各楽曲データベース情報を格納する送信用楽曲データベース（ＤＢ）２１と、この送信用楽曲データベースからの楽曲データベース情報を放送波に多重して放送する放送手段２２と、を含んで構成される。
【００３２】
一方端末装置３０は、前記放送手段２２から放送される前記楽曲データベース情報が多重された放送波を受信する受信手段３３と、この受信手段３３で受信した放送波から前記楽曲データベース情報を抽出する抽出手段３４と、この抽出手段３４で抽出した前記楽曲データベース情報を受信側楽曲データベース３１に蓄積する更新手段３２と、を含んで構成される。
【００３３】
このように本発明の更新システム１０は、一般的なインフラである放送（例えば、ＦＭ放送）を利用し、楽曲データベース情報を、放送波に多重して配信し、さらには受信側楽曲データベースの更新を行うものである。
【００３４】
このために、楽曲データベースの提供側（送信装置２０側）としては、楽曲データベース情報を放送波に多重して送信する機能が必要である。
【００３５】
またユーザ側（端末装置３０側）としては、多重放送波例えばＦＭ多重放送波を受信する機能と、その受信した多重放送波から楽曲データベース情報を抽出する機能と、その抽出した楽曲データベースを受信側楽曲データベース３１に記録する機能が必要である。
【００３６】
上記諸機能を備えることにより、ユーザ側（端末装置３０側）、楽曲データベースの提供側（送信装置２０側）およびユーザ自身において下記の特徴が得られる。
【００３７】
まずユーザ側（端末装置３０側）では、
・従来の多重放送の受信が可能であれば、特殊なハードは不要である。
【００３８】
・アルバム単位での楽曲データベースの取得や追加が可能なため、長時間、放送を受信し続ける必要がない。
【００３９】
次に楽曲データベースの提供側（送信装置２０側）では、
・専用のインフラ準備が不要であり、新たな設備投資は不要である。
【００４０】
・任意の条件にて楽曲データベースから抽出することにより、放送局毎に特徴のあるデータベース配信が可能となり、また、発売前の記録媒体でも楽曲データベースがあれば配信可能である。
【００４１】
・データベース情報を１アルバム単位とすることにより、放送局の負荷は少なくてすむ。
【００４２】
さらにユーザ自身について見てみると、
・手軽に簡単に安く（無料で）、楽曲データベースの追加が可能となる。
【００４３】
・放送を受信するだけで、データベースを入手できるため、特殊な操作等は不要である。
【００４４】
・送信媒体が一般的なインフラである放送なので、楽曲データベースを入手するための通信費用は不要であり、また、前述したメモリスティック（登録商標）等のデータベース記録メディアも不要となる。
【００４５】
かくして図１に示す端末装置３０を保有するユーザの全てが、簡単かつ手軽にしかも安価に、受信側楽曲データベース３１の更新を実現することが可能となる。
【発明の効果】
【００４６】
以下に明らかになるとおり本発明によれば、端末装置３０における楽曲データベースの更新が、簡単かつ手軽に、しかも無料で行える。さらにまた新譜のリリースまでには、その更新を完了することができる。
【発明を実施するための最良の形態】
【００４７】
図２は図１に示す送信装置２０をより具体的に示す図である。
【００４８】
本図において、参照番号２３は選択／収集手段である。
【００４９】
この選択／収集手段２３は、送信用楽曲データベース２１に連携し、これに格納すべき楽曲データベース情報を選択かつ収集するものである。
【００５０】
第１例として、選択／収集手段２３は、各楽曲提供事業者２５による各種人気ランキング情報に基づいて、収集する楽曲データベース情報を選択する。
【００５１】
また第２例として、選択／収集手段２３は、各楽曲提供事業者２５での放送回数に基づいて、収集する楽曲データベース情報を選択する。
【００５２】
さらに第３例として、選択／収集手段２３は、これに連携する各楽曲提供事業者２５間で生成されるパワープレイ情報、または新譜リリース情報に基づいて、収集する楽曲データベース情報を選択する。
【００５３】
この選択／収集手段２３にとって大事な情報源は、データベース（ＤＢ）源２４である。すなわち、新譜の楽曲を常時編集かつ登録して総楽曲データベースを構築するデータベース源２４を備えると共に、選択／収集手段２３は、このデータベース源２４から選択された楽曲データベース情報を収集する。なお、送信用楽曲データベース２１とデータベース源２４は同一でも良いし、送信用楽曲データベース２１は収集した楽曲情報データベース情報を削除することなく蓄積しておいても良い。
【００５４】
かくして収集された楽曲データベース情報は、送信用楽曲データベース２１に格納され、放送手段２２による送信タイミングを待つ。
【００５５】
放送手段２２は、送信用楽曲データベース２１の全ての楽曲データベース情報か、または送信用楽曲データベース２１のうち最新に追加収集された差分楽曲データベース情報か、のいずれかを放送波例えば、ＦＭ放送波に多重して、端末装置３０へ放送する。
【００５６】
そのときの送信タイミングとして、放送手段２２は、楽曲データベース情報を、常時繰り返して、または所定の日時に周期的に、放送波に多重して放送するようにする。
【００５７】
この送信に際しては、所定の送信フォーマットを用いる。このために、放送手段２２は、送信すべき楽曲データベース情報を放送波多重用のフォーマットに変換する変換機能部２６を有することが望ましい。
【００５８】
図３は図１に示す端末装置３０をより具体的に示す図である。
【００５９】
前述のとおり、受信手段３３は多重放送波を受信するものであり、抽出手段３４は受信した多重放送波から楽曲データベース情報を抽出しこれを更新手段３２に出力するものである。
【００６０】
この多重放送波の受信は、上記楽曲データベース情報サービスを受けることが許可されているユーザに限定されるべきである。
【００６１】
このため、受信手段３２は、送信装置２０側で多重放送にカギがかけられた多重放送波を受信しそのカギで解いた多重放送波から楽曲データベース情報を復調して抽出手段３４に出力するようにする。つまり、このカギを保持していないユーザは本サービスの提供を受けることができない。なお、このカギは、予め端末装置内に設定されていても良いし、カギを購入して端末装置に設定するようにしても良い。
【００６２】
また本サービスは本発明に基づく新規なサービスである。このため、送信装置２０側と端末装置３０との間の放送、受信は、相互間で認識済みのフォーマットを用いて行う。
【００６３】
このため、抽出手段３４は、所定のフォーマットで放送波に多重された楽曲データベース情報を、そのフォーマットに従って抜き出すことをその役割の１つとする。
【００６４】
かくして抜き出された楽曲データベース情報は、更新手段３２によって、受信側楽曲データベース３１に収録される。このときの更新のパターンには以下の３通り（ｉ）、（ii）および（iii ）がある。
【００６５】
（ｉ）更新手段３２は、送信装置２０側の送信用楽曲データベース２１からその全ての楽曲データベース情報を受信したとき、受信側楽曲データベース３１をその送信装置側の送信用楽曲データベースから受信した全ての楽曲データベース情報にて書き換えて更新するものである。ただし、この更新パターンは、送信用楽曲データベース２１が差分楽曲データベース情報のみを格納している場合には適用できない。
【００６６】
（ii）更新手段３２は、送信装置２０側の送信用楽曲データベース２１からその全ての楽曲データベース情報を受信したとき、その中から未収録の楽曲データベース情報を割り出してこれを最新に追加された差分楽曲データベース情報として受信側楽曲データベース３１に蓄積して更新するものである。
【００６７】
（iii ）更新手段３２は、送信装置２０側の送信用楽曲データベース２１から最新に追加収集された差分楽曲データベース情報を受信したとき、受信側楽曲データベース３１にその差分楽曲データベース情報を追加して蓄積することにより更新するものである。
【００６８】
また上記３パターン（ｉ）〜（iii ）のいずれの更新方法をとるにしても、ユーザにその楽曲データベース情報をいかなるタイミングで放送するかを定めておく必要がある。その代表例としては、（ｉ）常時繰り返して放送する方法と、（ii）所定の日時に周期的に放送する方法とがある。しかし上記のいずれの方法で放送するにしても、欲しい情報を一回入手してしまえば、次に新たな情報が放送されてくるまで、同情報を入手する必要はない。
【００６９】
したがって、更新手段３２は、送信装置２０側から常時繰り返して、または所定の日時に周期的に放送される楽曲データベース情報または差分楽曲データベース情報を一旦保持し、これらの情報が既に受信済みの情報と同一でないことを検出したとき、受信側楽曲データベース３１に蓄積するようにする。
【００７０】
以上、本発明を装置構成という観点から図１〜図３を参照して説明したが、本発明は新規な方法としても捉えることができる。以下、その方法について説明する。
【００７１】
［Ａ］本発明に係る方法には、送信装置２０と端末装置３０とを備える楽曲データベースの更新システム１０における楽曲データベースの更新方法であり、送信装置２０においては、
ステップＳ１１：記録媒体（ＣＤ）を識別する識別情報（ＴＯＣ）とこの識別情報に対応する楽曲情報とからなる各楽曲データベース情報を送信用楽曲データベースに格納する。
【００７２】
ステップＳ１２：送信用楽曲データベース２１からの楽曲データベース情報を放送波に多重して放送する。
【００７３】
また端末装置３０においては、
ステップＳ２１：送信装置２０からの楽曲データベース情報を受信する。
【００７４】
ステップＳ２２：受信側楽曲データベース３１に、受信した楽曲データベース情報を蓄積する。
【００７５】
（ａ）前記ステップＳ１１は、上記楽曲データベース情報を選択かつ収集するステップＳ１３を含み、このステップＳ１３での選択収集は、各楽曲提供事業者２５による各種人気ランキング情報に基づいて行うようにすることができる。
【００７６】
また前記の選択収集ステップＳ１３は、各楽曲提供事業者２５での放送回数に基づいて行うこともできる。
【００７７】
さらに前記の選択収集ステップＳ１３は、各楽曲提供事業者２５間で生成されるパワープレイ情報、または新譜リリース情報に基づいて行うこともできる。
【００７８】
この場合前記の選択収集ステップＳ１３は、新譜の楽曲を常時編集かつ登録して総楽曲データベースを構築するデータベース源２４と連携して行うのが効率的である。
【００７９】
（ｂ）前記の放送ステップＳ１２は、送信用楽曲データベース２１の全ての楽曲データベース情報か、または送信用楽曲データベース２１のうち最新に追加された差分楽曲データベース情報か、のいずれかを放送波に多重して送信するようにする。
【００８０】
また前記の放送ステップＳ１２は、楽曲データベース情報を、常時繰り返して、または所定の日時に周期的に、放送波に多重して送信するようにする。
【００８１】
さらに前記の放送ステップＳ１２は、送信すべき楽曲データベース情報を放送波用のフォーマットに変換して送信するのが好ましい。
【００８２】
本発明に係る方法は、送信装置２０と端末装置３０とを備える楽曲データベースの更新システム１０における楽曲データベースの更新方法であり、端末装置３０においては、
ステップＳ３１：送信装置２０から放送波に多重して送信された楽曲データベース情報を受信する。
【００８３】
ステップＳ３２：受信した楽曲データベース情報を、再生すべき記録媒体（ＣＤ）に記録されている識別情報（ＴＯＣ）をもとに対応する楽曲情報を検索可能な受信側楽曲データベース３１に蓄積して更新する。
【００８４】
（ａ）前記の更新するステップＳ３２には、受信した放送波から楽曲データベース情報を抽出するステップを有することが好ましい。
【００８５】
（ｂ）前記の受信するステップＳ３１は、送信装置２０側でカギがかけられた放送波を受信し、端末装置３０が保持するカギで放送波のカギを解くようにして、または、送信装置２０側で楽曲データベース情報にカギがかけられた放送波を受信し、端末装置３０が保持するカギで楽曲データベース情報のカギを解くようにして、楽曲データベース情報を復調することが好ましい。
【００８６】
（ｃ）前記の受信するステップＳ３１は、所定のフォーマットで放送波に多重された楽曲データベース情報を、そのフォーマットに従って抜き出す工程を含むのが好ましい。
【００８７】
（ｄ）前記の蓄積するステップＳ３２は、送信装置２０側の送信用楽曲データベース２１からその全ての楽曲データベース情報を受信したとき、受信側楽曲データベース３１を、その全ての楽曲データベース情報にて書き換えるようにすることができる。
【００８８】
あるいは前記の蓄積するステップＳ３２は、送信装置２０側の送信用楽曲データベース２１からその全ての楽曲データベース情報を受信したとき、その中から未収録の楽曲データベース情報を割り出してこれを最新に追加された差分楽曲データベース情報として受信側楽曲データベース３１に蓄積するようにしてもよい。
【００８９】
さらにまた前記の蓄積するステップＳ３２は、送信装置２０側の送信用楽曲データベース２１から最新に追加された差分楽曲データベース情報を受信したとき、受信側楽曲データベース３１にその差分楽曲データベース情報を追加して蓄積するようにすることもできる。
【００９０】
いずれにしてもこの蓄積するステップＳ３２では、送信装置２０側から常時繰り返して、または所定の日時に周期的に送信される楽曲データベース情報または差分楽曲データベース情報を一旦保持し、これらの情報が既に受信済みの情報と同一でないことを検出したときに、受信側楽曲データベース３１に蓄積するようにすることが望ましい。
【００９１】
次に本発明に係る楽曲データベースの更新システムを一層具体的に説明する。
【００９２】
図４は本発明に係る更新システム１０の一層具体的な全体構成を表す図である。
【００９３】
更新システム１０は、右側の送信装置２０と左側の端末装置３０とこれら装置間を結ぶ無線区間とからなる。
【００９４】
送信装置２０は、本図では３つの楽曲データベース情報提供事業者（２５）が保有する設備および機器からなる。事業者２５Ａは、前述したデータベース源２４を保有し、事業者２５Ｂは送信用楽曲データベース２１を保有し、事業者２５Ｃは放送設備を保有する。
【００９５】
事業者２５Ｂは、１つにはオンエア情報をもとにして更新すべき楽曲を選択し、該当の楽曲データベース情報を事業者２５Ａに対して要求し該当の楽曲データベース情報を切り出して、自内の送信用楽曲データベース２１に格納する。さらに送信用楽曲データベースに格納された楽曲データベース情報を配信データとして事業者２５Ｃに転送する。さらに事業者２５Ｃは、転送されてきた楽曲データベース情報を放送波に多重して端末装置３０側に放送する。該装置３０はこれを受信して自内の受信側楽曲データベース３１に蓄積する。ユーザは蓄積された情報を表示部２において確認することができる。なお、送信用楽曲データベース２１に格納されている楽曲データベース情報のパターンや、端末装置３０の受信側楽曲データベース３１の更新パターン等は前述しているので説明は省略する。
【００９６】
ここに、事業者２５Ａのオンエア情報と、事業者２５Ｂの送信側楽曲データベースと、事業者２５Ｃのデータベース源と、をリンクさせ、発売前の新譜のデータを配信することもできる新しいサービスが実現される。
【００９７】
図５は図４よりも一層具体的に示すシステム構成図である。
【００９８】
本図の更新システム１０は、図４と同様、右側の送信装置２０と左側の端末装置３０とからなる。なお、図４に比べて、楽曲データベース情報提供事業者（レコード会社）２５Ｄや楽曲データベース情報提供事業者（カラオケ事業者）２５Ｅが追加されている。また本図右上の事業者２５Ａに連携する一般ユーザ・インターネット網も追加されている。なお、楽曲データベース情報提供事業者はこれらに限定されるものではなく、有線放送事業者等のランキング情報や放送回数情報等の選択の参考になる情報を提供できる事業者であれば何でもよい。
【００９９】
また前述した放送手段２２や選択／収集手段２３についてもその該当位置に参照番号を記入した。
【０１００】
さらにまた本図中［１］〜［６］は一連のプロセスを示す。
【０１０１】
［１］更新の対象となる記録媒体の選択を行う。
【０１０２】
この選択には、事業者２５Ｄによる新譜リリース情報、事業者２５Ｅによる人気ランキング情報、事業者２５Ｃによる人気ランキング情報や放送回数情報あるいはパワープレイ情報等が参考にされる。パワープレイ情報とは、事業者間での営業上の協議によって決まる情報である。
【０１０３】
［２］上記［１］により更新ＤＢ対象が選択されると、必要データの検索やその抽出依頼を、データベース源２４を保有する事業者２５Ａに対して行う。なお、データベース源２４は、一般ユーザからのデータベース登録も含めて、新譜の楽曲を常時編集しかつ登録する総楽曲データベースである。
【０１０４】
［３］かくして対象の楽曲データベース情報が抽出され、送信用楽曲データベース２１に格納される。以上、［１］〜［３］のプロセスは、前述した選択／収集手段２３によって実行される。なお、送信用楽曲データベース２１に格納される楽曲データベース情報のパターンは前述しているので説明は省略する。
【０１０５】
［４］上記［１］〜［３］によって更新対象の楽曲データベース情報が抽出されると、この情報を表すデータを、放送波多重用のフォーマットに変換する。この変換は、前述した放送手段２２内の変換機能部２６（図２）により行われる。（事業者２５Ｂ、２５Ｃのどちらで行われてもよい。）
［５］フォーマット変換された楽曲データベース情報は事業者２５Ｃ内の放送手段２２すなわち放送設備より送信される。
【０１０６】
［６］送信された楽曲データベース情報は端末装置３０にて受信され、受信側楽曲データベース３１の内容が自動的に更新される。
【０１０７】
この場合の受信に際しては、前述したカギが用いられる。送信装置２０側からはカギをかけて情報が送信されるので、そのカギで元の情報を復元する。カギをかけたり解いたりする処理は、スクランブラおよびデスクランブラで実現できる。
【０１０８】
以上のように、図５に示す更新（配信）システム１０によれば、カーナビ／カーオーディオに広く搭載されている多重放送受信機を利用した新しいエンターテイメント・サービスが実現される。これは通信費用の心配や高コストな通信機器の搭載を不要とするものであり、また機器への組込みも容易であるから、まさに車載端末に最適な新サービスとなる。
【０１０９】
その特徴とするところを列挙すると、
（ａ）各情報よりユーザニーズの高い記録媒体を選択でき、しかも新譜についても発売日前までにユーザに提供できる。
【０１１０】
（ｂ）毎週最大５０タイトルの記録媒体について更新データを放送することができる。これは下記の算出式に基づく。
【０１１１】
５０タイトル／週＝音楽用記録媒体の発売枚数２００枚／月÷４週
５０タイトルを毎日繰返し放送するが、一旦受信し始めれば連続約１時間で５０タイトル分のデータを取得できる。
【０１１２】
したがってユーザ側にとっては下記のメリットが得られる。
【０１１３】
（ａ）毎週発売される記録媒体のほとんどが取得可能である（配信数は、最大５０タイトル／週とする）。
【０１１４】
（ｂ）新譜記録媒体のデータが発売日の前に取得可能である。
【０１１５】
（ｃ）一般的なインフラである放送波を利用するから、通信コストは無料である。
【０１１６】
（ｄ）放送を受信できさえすれば自動で取得できるから、ユーザの操作は必要としない。
【０１１７】
最後に、送信装置２０および端末装置３０の実際の装置構成例と、実際の動作例とを示す。
【０１１８】
図６は送信装置２０の装置構成例を示す図であり、
図７は端末装置３０の装置構成例を示す図である。
【０１１９】
まず図６を参照すると、データベース（ＤＢ）部４１は図５のデータベース源２４に相当し、抽出部４２はそのデータベース（ＤＢ）部４１より、図５のプロセス［３］に沿って、対象のデータベース情報を抽出する。
【０１２０】
抽出されたデータベース情報は、図５の事業者２５Ｂが保有するデータベース（ＤＢ）部２１に一旦格納され、さらに図５のプロセス［４］に沿って、フォーマット変換部４４により記述のフォーマット変換が行われる。
【０１２１】
さらに図５の事業者２５Ｃの放送設備において、多重信号変換部４５により、多重信号となり、放送送信部４６より、端末装置３０へと送信される。
【０１２２】
図７を参照すると、その端末装置３０において、上記の送信された多重信号は、放送受信部５１により受信され、次段の多重信号復調部５２において、更新対象のデータベース情報が抽出される。
【０１２３】
再生されたデータベース情報は、ＣＰＵ５０を介して記録装置５４（図１１の３）に蓄積される。
【０１２４】
ＣＰＵ５０は、ＲＯＭおよびＲＡＭを含むメモリ部５３と共に動作して、キーボード（ＫＥＹ）５６からのユーザ指示に従って、記録装置５４内に蓄積された楽曲データベースの情報を表示器５５（図１１の２）に表示する。
【０１２５】
図８は更新システム１０の動作例を示すフローチャート（その１）、
図９は同フローチャート（その２）、
図１０は同フローチャート（その３）である。
【０１２６】
まず図８を参照すると、
ステップＳ５１：図５のプロセス［１］および［２］を実行する。
【０１２７】
ステップＳ５２：図５のプロセス［３］を実行する。
【０１２８】
ステップＳ５３：上記プロセス［３］で得たデータベース（ＤＢ）情報が、上記プロセス［２］で依頼したものと合致しているか確認し、ＯＫならば次ステップへ進む。
【０１２９】
ステップＳ５４：図５のプロセス［４］を実行する。
【０１３０】
ステップＳ５５：図５のプロセス［５］を経て、事業者２５Ｃにおいて多重放送波を生成する。このとき記述したスクランブラにより多重信号にカギをかける処理を行う。次に図９を参照すると、
ステップＳ５６：事業者２５Ｃより上記多重放送波が発信される。
【０１３１】
ステップＳ５７：端末装置３０の放送受信部５１（図７）において、上記多重放送波を受信する。
【０１３２】
ステップＳ５８：さらに前述のカギを開けてみる。これは記述のデスクランブラにより判定する。
【０１３３】
ステップＳ５９：送信装置２０側にてスクランブルされた多重信号を復調し、元データベース情報を抽出する。
【０１３４】
ステップＳ６０：その元データベース情報の中に楽曲データベース情報があるか判定し、あれば次ステップ（図１０）へ進む。
【０１３５】
ステップＳ６１：前述したように、同じ楽曲データベース情報は例えば１週間の間繰り返し放送されるので、既に受信済みの楽曲データベース情報か否かを判定し、既に受信済みの楽曲データベース情報のときは、再び放送波の受信（ステップＳ５７）を開始する。初めての受信であれば次ステップに進む。
【０１３６】
ステップＳ６２：初めての受信楽曲データベース情報であるから、受信側楽曲データベース３１にこれを追加して蓄積し、本工程での更新処理を完了する。そして再びステップＳ５７に戻って受信を再開する。
【産業上の利用可能性】
【０１３７】
本発明は、ユーザ側の楽曲データベースを、外部の楽曲データベース源から、放送波の介在によって更新するようなシステムを実現する場合に利用することができる。
【図面の簡単な説明】
【０１３８】
【図１】本発明に係る楽曲データベースの更新システムを示す基本構成図である。
【図２】図１に示す送信装置２０をより具体的に示す図である。
【図３】図１に示す端末装置３０をより具体的に示す図である。
【図４】本発明に係る更新システム１０の一層具体的な全体構成を表す図である。
【図５】図４よりも一層具体的に示すシステム構成図である。
【図６】送信装置２０の装置構成例を示す図である。
【図７】端末装置３０の装置構成例を示す図である。
【図８】更新システム１０の動作例を示すフローチャート（その１）である。
【図９】更新システム１０の動作例を示すフローチャート（その２）である。
【図１０】更新システム１０の動作例を示すフローチャート（その３）である。
【図１１】本発明で対象とする楽曲データベースを説明するための図である。
【図１２】楽曲データベースの従来の更新方法（第１例）を示す図である。
【符号の説明】
【０１３９】
１０…更新システム
２０…送信装置
２１…送信用楽曲データベース（ＤＢ）
２２…放送手段
２３…選択／収集手段
２４…データベース源
２５…楽曲提供事業者
２６…変換機能部
３０…端末装置
３１…受信側楽曲データベース（ＤＢ）
３２…更新手段
３３…受信手段
３４…抽出手段
【図１】
2006345008.tif 000003
【図２】
2006345008.tif 000004
【図３】
2006345008.tif 000005
【図４】
2006345008.tif 000006
【図５】
2006345008.tif 000007
【図６】
2006345008.tif 000008
【図７】
2006345008.tif 000009
【図８】
2006345008.tif 000010
【図９】
2006345008.tif 000011
【図１０】
2006345008.tif 000012
【図１１】
2006345008.tif 000013
【図１２】
2006345008.tif 000014